(57)【要約】【課題】レーザのパワーに依存して変化するトラッキングエラー信号のオフセットを調整して、良好な記録または再生を実現した光ディスク装置を提供する。【解決手段】レーザ光を出射するレーザダイオードと、レーザ光をメインビームとサブビームとに分割する手段と、メインビームを検出しメインプッシュプル信号を出力する手段と、サブビームを検出しサブプッシュプル信号を出力する手段と、メインプッシュプル信号とサブプッシュプル信号とを演算し、ディファレンシャルプッシュプル信号を出力する手段とを備え、レーザの強度が変化した場合においても、ディファレンシャルプッシュプル信号の直流オフセットを調整できるように、サブプッシュプル信号の増幅度を調整する。【選択図】図４
2008305461.tif 000002
【特許請求の範囲】
【請求項１】
光ディスクに情報を記録する光ディスク装置において、
レーザ光を出射するレーザダイオードと、
前記レーザ光を光ディスクに集光するためのレンズと、
前記レンズの位置を調整するレンズ調整手段と、
前記レーザ光をメインビームとサブビームとに分割する手段と、
前記メインビームを検出し、メインプッシュプル信号を出力する手段と、
前記サブビームを検出し、サブプッシュプル信号を出力する手段と、
前記メインプッシュプル信号と前記サブプッシュプル信号とからディファレンシャルプッシュプル信号を出力する手段と、
レーザ強度を検出するレーザ強度検出手段と、
前記メインプッシュプル信号、前記サブプッシュプル信号、前記ディファレンシャルプッシュプル信号のそれぞれのオフセット量を検出するオフセット量検出手段と、
レーザ強度の変化に対する前記メインプッシュプル信号、前記サブプッシュプル信号、前記ディファレンシャルプッシュプル信号のオフセット量の変化を基に前記ディファレンシャルプッシュプル信号のオフセット量を調整する調整手段を具備することを特徴とする光ディスク装置。
【請求項２】
請求項１に記載の光ディスク装置において、
前記調整手段は、
少なくとも第1のレーザ強度P1と第2のレーザ強度P2でレーザを射出し、レーザ強度P1での前記メインプッシュプル信号のオフセット量Mof1と前記サブプッシュプル信号のオフセット量Sof1、および、レーザ強度P2での前記メインプッシュプル信号のオフセット量Mof2と前記サブプッシュプル信号のオフセット量Sof2を前記オフセット量検出手段で検出し、
前記レーザ強度P1,P2と前記オフセット量Mof1,Mof2、および、前記オフセット量Sof1,Sof2より導かれるレーザ強度の変化に対するメインプッシュプル信号とサブプッシュプル信号のオフセット量の変化を基に前記サブプッシュプル信号の増幅度を変化させることを特徴とする光ディスク装置。
【請求項３】
請求項１に記載の光ディスク装置において、
前記調整手段は、
少なくとも第1のレーザ強度P1と第2のレーザ強度P2でレーザを射出し、レーザ強度P1での前記メインプッシュプル信号のオフセット量Mof1と前記サブプッシュプル信号のオフセット量Sof1、および、レーザ強度P2での前記メインプッシュプル信号のオフセット量Mof2と前記サブプッシュプル信号のオフセット量Sof2を前記オフセット検出手段で検出し、
前記レーザ強度P1,P2と前記オフセット量Mof1,Mof2、および、前記オフセット量Sof1,Sof2より導かれるレーザ強度の変化に対するメインプッシュプル信号とサブプッシュプル信号のオフセット量の変化を基に、少なくとも再生、および、記録に必要なレーザ強度においてメインプッシュプル信号とサブプッシュプル信号のオフセット量の差が所定範囲内に納まるように前記レンズ位置を調整することを特徴とする光ディスク装置。
【請求項４】
請求項２に記載の光ディスク装置において、
前記調整手段は、
更に、
少なくとも再生、および、記録に必要なレーザ強度においてメインプッシュプル信号とサブプッシュプル信号のオフセット量の差が所定範囲内に納まるように前記レンズ位置を調整することを特徴とする光ディスク装置。
【請求項５】
請求項１に記載の光ディスク装置において、
前記調整手段は、
少なくとも第1のレーザ強度P1と第2のレーザ強度P2でレーザを射出し、レーザ強度P1での前記ディファレンシャルプッシュプル信号のオフセット量Dof1、および、レーザ強度P2での前記ディファレンシャルプッシュプル信号のオフセット量Dof2を前記オフセット量検出手段で検出し、
前記レーザ強度P1,P2と前記オフセット量Dof1,Dof2より導かれるレーザ強度の変化に対するディファレンシャルプッシュプル信号のオフセット量の変化を基に、少なくとも再生、および、記録に必要なレーザ強度においてディファレンシャルプッシュプル信号のオフセット量が所定範囲内に納まるように前記レンズ位置を調整することを特徴とする光ディスク装置。
【請求項６】
請求項２に記載の光ディスク装置において、
前記調整手段は、
更に、少なくとも第1のレーザ強度P1と第2のレーザ強度P2でレーザを射出し、レーザ強度P1での前記ディファレンシャルプッシュプル信号のオフセット量Dof1、および、レーザ強度P2での前記ディファレンシャルプッシュプル信号のオフセット量Dof2を前記オフセット量検出手段で検出し、
前記レーザ強度P1,P2と前記オフセット量Dof1,Dof2より導かれるレーザ強度の変化に対するディファレンシャルプッシュプル信号のオフセット量の変化を基に、少なくとも再生、および、記録に必要なレーザ強度においてディファレンシャルプッシュプル信号のオフセット量が所定範囲内に納まるように前記レンズ位置を調整することを特徴とする光ディスク装置。
【請求項７】
請求項１〜６のいずれかに記載の光ディスク装置において、
前記サブプッシュプル信号は直流オフセット成分のみであることを特徴とする光ディスク装置。
【請求項８】
請求項１に記載の光ディスク装置において、
前記調整手段は、
少なくとも第1のレーザ強度P1と第2のレーザ強度P2でレーザを射出し、レーザ強度P1での前記メインプッシュプル信号のオフセット量Mof1と前記サブプッシュプル信号のオフセット量Sof1、および、レーザ強度P2での前記メインプッシュプル信号のオフセット量Mof2と前記サブプッシュプル信号のオフセット量Sof2を前記オフセット量検出手段で検出し、
前記レーザ強度P1,P2と前記オフセット量Mof1,Mof2、および、前記オフセット量Sof1,Sof2より導かれるレーザ強度の変化に対するメインプッシュプル信号とサブプッシュプル信号のオフセット量の変化を基に前記メインプッシュプル信号の増幅度を変化させることを特徴とする光ディスク装置。
【請求項９】
請求項８に記載の光ディスク装置において、
前記メインプッシュプル信号は直流オフセット成分のみであることを特徴とする光ディスク装置。
【請求項１０】
請求項１〜９のいずれかに記載の光ディスク装置において、
前記ディファレンシャルプッシュプル信号のオフセット量の調整は、ディスクローディング時に行うことを特徴とする光ディスク装置。
【請求項１１】
請求項１〜１０のいずれかに記載の光ディスク装置において、レーザ強度とオフセット量の変化を求めるためにレーザ照射する領域は光ディスクの試し書き領域であることを特徴とする光ディスク装置。
【請求項１２】
請求項１〜１１のいずれかに記載の光ディスク装置において、前記レーザ強度の変化に対するプッシュプル信号のオフセット量の変化を保持する手段と、光ディスクを特定する情報を保持するディスク情報保持手段とを具備することを特徴とする光ディスク装置。
【請求項１３】
請求項１２に記載の光ディスク装置において、前記ディスク情報保持手段に保持されたディスクを特定する情報と、ディスクと関連付けられた前記変化を基に前記ディファレンシャルプッシュプル信号のオフセット量を調整することを特徴とする光ディスク装置。
【請求項１４】
光ディスク装置のプッシュプル法におけるディファレンシャルプッシュプル信号のオフセット量を補正する方法であって、
レーザ強度の変化に対するメインプッシュプル信号のオフセット量、および、サブプッシュプル信号のオフセット量の変化を基にサブプッシュプル信号の増幅度を変化させることを特徴とする補正方法。
【請求項１５】
光ディスク装置のプッシュプル法におけるディファレンシャルプッシュプル信号のオフセット量を補正する方法であって、
レーザ強度の変化に対するメインプッシュプル信号のオフセット量、および、サブプッシュプル信号のオフセット量の変化を基にレンズ位置を調整することを特徴とする補正方法。
【請求項１６】
光ディスク装置のプッシュプル法におけるディファレンシャルプッシュプル信号のオフセット量を補正する方法であって、
レーザ強度の変化に対するディファレンシャルプッシュプル信号のオフセット量の変化を基にレンズ位置を調整することを特徴とする補正方法。
【発明の詳細な説明】
【技術分野】
【０００１】
本発明は、ディファレンシャルプッシュプル信号の直流オフセット成分を調整して記録または再生を行う光ディスク装置に関する。
【背景技術】
【０００２】
近年、扱われるデジタル情報の量は飛躍的に増加しており、情報を記録するための記録媒体もより大容量なものが求められている。このような需要に応じてブルーレイディスク(以降、ＢＤと称す)などが実用化され、注目されている。
【０００３】
ＢＤではＤＶＤより記録トラック幅を狭め、微小なマークを記録することでＤＶＤに対して約５倍の記録容量を達成している。しかし、トラック幅の減少に伴い、より高精度なレーザスポット位置の制御が必要となる。例えば、レーザスポットをトラックに追従させるためのトラッキングエラー信号にオフセットが重畳していると、目的のトラックの中央からずれた位置で記録再生を行うことになり、記録再生品質を著しく低下させる。このような課題に対して、特許文献１では「プッシュプル信号の演算出力からトラッキングエラー信号（ＤＰＰ信号）を生成するとともに、上記各フォトディテクタにおけるプッシュプル信号に生じたＤＣ(直流)オフセット量を各プッシュプル信号毎にキャンセルする」ことで「記録時における高精度なトラッキングサーボを可能にし、記録密度の高密度化を可能にする」と記載されている。
【０００４】
【特許文献１】特願２０００−１１９９５９号公報
【発明の開示】
【発明が解決しようとする課題】
【０００５】
しかし、フォトディテクタの位置ずれ等に起因するオフセット量は、レーザのパワーに依存して変化することが多い。
【０００６】
このような場合、例えば記録と再生でオフセット量が異なるため、再生時に一定量のオフセット調整を行っても記録時にはレーザのスポットがトラックの中心からずれてしまう。
【０００７】
そこで、本発明では、レーザパワーに依存して変化するトラッキングエラー信号のオフセット量を調整し、良好な記録再生を行う方法を提供することを目的とする。
【課題を解決するための手段】
【０００８】
上記目的は例えば特許請求の範囲に記載の発明により達成される。本願において開示された発明のうち代表的なものの概要を簡単に説明すれば以下のとおりである。
【０００９】
本発明では、プッシュプル方式のトラッキング制御を行う光ディスク装置において、レーザ強度検出手段と、プッシュプル方式のトラッキング制御で使用されるメインプッシュプル信号、サブプッシュプル信号、および、メインプッシュプル信号とサブプッシュプル信号から得られるディファレンシャルプッシュプル信号のそれぞれのオフセット量を検出する手段を設け、レーザ強度の変化に対する前記メインプッシュプル信号、前記サブプッシュプル信号、前記ディファレンシャルプッシュプル信号のオフセット量の変化を基に前記ディファレンシャルプッシュプル信号のオフセット量を調整する調整手段を具備することを特徴とする光ディスク装置を提供する。
【００１０】
本発明では例えば以下の実施態様により目的を達成できるが、本発明はこの実施態様に限られることはない。
【発明の効果】
【００１１】
本発明によれば、トラッキングエラー信号のオフセットを調整することができ、良好な記録再生性能をもった光ディスク装置を提供できる。
【発明を実施するための最良の形態】
【００１２】
以下本発明の実施例を、図面を用いて説明する。なお本発明の光ディスク装置では、ディファレンシャルプッシュプル信号をトラッキングエラー信号として用い、記録再生を行うものとする。また、以降メインプッシュプル信号をＭＰＰ、サブプッシュプル信号をＳＰＰ、ディファレンシャルプッシュプル信号をＤＰＰと称す。
【００１３】
また、ディテクタに光が入射していない状態での信号レベルを基準レベルとして、基準レベルからの振幅中心レベルのずれをオフセットと称す。
【００１４】
ディファレンシャルプッシュプル信号のオフセット量が大きいほど記録再生品質を低下させる。そのため、理想的にはこのオフセット量をできるだけ０に近づけるように調整することが望ましい。
【実施例１】
【００１５】
本実施例では、サブプッシュプル信号の増幅度を変化させることで、ディファレンシャルプッシュプル信号のオフセットを調整する例を示す。
【００１６】
図１(a)は本発明による光ディスク装置の一実施例を示すブロック構成図である。なお、本発明に直接関与しないブロックについては記載を省略した。
【００１７】
マイコン１０１によりレーザダイオード１０２を駆動する。レーザダイオード１０２はマイコン１０１の制御信号に応じて、例えば約４００ｎｍの波長を有するレーザ光１０３を出射する。レーザ光１０３は回折格子１０４にてメインビーム及びサブビームに分割される。
【００１８】
レーザ光は対物レンズ１０５にて光ディスク１０６状に集光され、メインスポット及びサブスポットを形成する。光ディスク１０６を反射したレーザ光は、偏光ビームスプリッタ１０７を介してフォトディテクタ１０８に集光する。フォトディテクタ１０８は受光したメインビームとサブビームとに応じたプッシュプル波形をそれぞれ出力する。
【００１９】
信号処理器１０９にて、プッシュプル波形に対し増幅などの処理を行い、マイコン１０１に出力する。図1(b)に示すように、マイコン１０１は、入力波形の上レベルと下レベルを検出し、中心レベルを算出する。あるいは、ローパスフィルタ等を用いて中心レベルを直接検出しても良い。その場合、信号処理器１０９にてローパスフィルタをかけても良いし、マイコン１０１の内部に備えていても良い。マイコン１０１はまた、対物レンズ１０５を駆動する。
【００２０】
なお、ここでは光ディスク１０６に集光する前に回折格子１０４にてレーザ光を分割する例を示したが、光ディスク１０６に集光するレーザのスポットを１つとし、反射したレーザ光を回折格子１０４にて分割しても良い。
【００２１】
図２(a)は、ディスクから反射したレーザをフォトディテクタが受光し、ＤＰＰを生成するまでを示した模式図である。メインディテクタ２０１はａｂｃｄに４分割されており、それぞれレーザのメインスポット２１０を受光する。各ａｂｃｄの出力信号に対して(a+d)-(b+c)の演算を行うことで、ＭＰＰ１０４を生成する。
【００２２】
サブディテクタ２０２及び２０３は、それぞれｅｆとｇｈに２分割されており、サブスポット２１１及び２１２を受光する。出力信号に対し(e-f)及び(g-h)の演算を行うことで、それぞれ２０５及び２０６の信号を得る。加算器２０７にて(e-f)+(g-h)の演算を行うことで、ＳＰＰを生成する。図２(a)に示すように、ＭＰＰとＳＰＰは逆位相となっており、減算器２０８にてMPP-SPPの演算を行うことで、ＤＰＰ１０９を生成する。図２(a)では、ＭＰＰ及びＳＰＰにオフセットが重畳していないため、ＤＰＰにもオフセットが発生しておらず、この場合トラックの中心から外れて記録再生を行うことはない。
【００２３】
ＤＰＰ方式は、ＭＰＰとＳＰＰで発生したオフセットをＤＰＰの演算を行った時に調整できるという利点がある。ただし、これはＭＰＰとＳＰＰに同方向に同一量だけオフセットが存在する場合に限られる。しかし図２(b)に示すように各ディテクタの出力信号のオフセット量がそれぞれ異なる場合、ＤＰＰにもオフセットが残留する。このような状況は、各ディテクタが理想的な位置からずれていた場合、またはディスクに反射してディテクタに集光したスポット位置がずれていた場合、あるいは各ａｂｃｄ及びｅｆ、ｇｈの出力ゲインが異なっている場合などに発生する。この場合、それぞれのオフセット量は受光するレーザのパワーに依存する。このパワーの変化が発生するのは、記録再生の切り替えなどで光ディスク装置の対物レンズから出射されるレーザのパワーが変化した時、あるいは光ディスクの反射率が変化した時、光ディスク装置の光学系の効率が変化した時、などが挙げられる。
【００２４】
図３(a)の３０１、３０２、３０３はそれぞれＭＰＰ、ＳＰＰ及びＤＰＰのオフセット量のパワー依存性を示している。パワーが増加するのに伴ってＭＰＰとＳＰＰのオフセット量が増加した結果、ＤＰＰのオフセット量３０３もパワーに依存して増加する。なお図３(a)では、ＭＰＰとＳＰＰのオフセット方向が異なる場合を示したが、両者のオフセットが同方向の場合でもその量が異なれば同様の問題が発生する。
【００２５】
図４は本発明の構成例を示した図であり、ｋ倍の増幅度を持つアンプ４０１にてＳＰＰを増幅させることを特徴とする。ここで、ｋ＊ＳＰＰのオフセットがＭＰＰのオフセットと同様になるように増幅度ｋを変化させることで、ＤＰＰにおけるオフセットを調整することが出来る。ＤＰＰを生成する演算式は、DPP=MPP-k*SPPであり、図３(b)場合ｋは負の値をとる。
【００２６】
図３(b)は各信号のオフセット量を示した図である。３０４で示すｋ＊ＳＰＰのオフセット量が、ＭＰＰのオフセット量と同様に変化するようにｋを変化させることでＤＰＰのオフセットを調整することが出来る。なお図２(a)(b)及び図４では、ＳＰＰに振幅が存在する例を示したが、ＳＰＰを直流信号としてオフセット調整のみの機能を持たせてもよい。また、ＳＰＰのみに振幅を持たせ、ＭＰＰをオフセット調整信号として用いても良い。その場合、ＭＰＰの増幅度を変化させるアンプを備えても良い。
【００２７】
図５は本発明を実施するためのフローチャートの例を示した図である。５０１にて光ディスク装置に光ディスクをローディングする。５０２にてレーザパワーを設定し、５０３にてＭＰＰとＳＰＰそれぞれのオフセット量の測定を行う。以降、レーザパワーに対するオフセット量の関係が得られるのに必要な回数だけ５０２と５０３を繰り返す。５０２にて設定するレーザパワーは、光ディスクに記録が行われない程度のパワーであり、また光ディスクに記録された情報が消去されることを回避するために、試し書き領域などで実行することが望ましい。５０４にて、ＭＰＰとＳＰＰのレーザパワーに対する感度比を増幅度ｋとして設定し、５０５にて記録再生動作を開始する。
【００２８】
図６は図５の５０２及び５０３における動作の例を示した図である。各レーザパワーにおいて、ＭＰＰのオフセット量６０１及びＳＰＰのオフセット量６０２を測定することで、ＭＰＰとＳＰＰのレーザパワーに対する感度を測定することができる。
【００２９】
以上のように、レーザ強度とプッシュプル信号のオフセット量の関係よりDPPのオフセット量を調整するために必要なSPPの増幅度kを求め、ＳＰＰの増幅度を変化させることでＤＰＰにおけるオフセットを調整し、良好な記録再生動作を実現できる。
【００３０】
また、本実施例において、データ読み取り時、および、データ書き込み時のどちらの場合も求めた増幅度kによってDPPオフセットの調整が可能である。
【実施例２】
【００３１】
本実施例では、光ディスクと相対する対物レンズの位置を調整することで、ＤＰＰのオフセットを調整する例を示す。以降では、対物レンズの位置変化を「レンズシフト」と称する。
【００３２】
図７(a)は、対物レンズ７０１によって光ディスク７０３上に集光したレーザ７０２が、光ディスクに反射してフォトディテクタ７０４で受光され、プッシュプル波形７０５が出力されることを示した模式図である。ここでプッシュプル波形とは、ＭＰＰまたはＳＰＰのことを示す。
【００３３】
対物レンズ７０１及びフォトディテクタ７０４は光ディスク装置に搭載されており、フォトディテクタ７０４は、図４で示したように２分割または４分割されている。図７(a)に示すように、フォトディテクタ７０４がレーザのスポットに対して理想的に配置されていれば、プッシュプル波形７０５はオフセットを持たない。一方図７(b)に示すように、対物レンズ７０１の位置がずれた場合にはプッシュプル波形７０６にオフセットが生じる。このように、対物レンズの位置とＭＰＰ及びＳＰＰのオフセット量には相関があり、対物レンズのシフトによってオフセット量を制御できる。対物レンズ位置の変化に対するオフセット量の変化は光学系の設計に依存しており、通常ＭＰＰとＳＰＰで感度が異なる。
【００３４】
図８(a)(b)(c)は、上記の原理を利用してＤＰＰのオフセットの調整を行った例である。図８(a)は、対物レンズの位置が初期値にあるにも関わらず、ディテクタの位置ずれやゲインずれ等によってＭＰＰ及びＳＰＰにオフセットが生じている例を示している。図８(b)では、対物レンズの位置を一定量変化させた場合の、オフセット量のパワー依存性を示している。図８(a)に比較してレーザパワーに対する依存性がＭＰＰとＳＰＰとで類似しているため、レーザパワーに対するＤＰＰの変化量が減少している。図８(c)では、更にレンズシフトさせることでレーザパワーに対するＭＰＰとＳＰＰのオフセットの変動がほぼ同様となっているため、ＤＰＰにおけるオフセットが調整されている。これは、レンズシフトに対するＭＰＰ及びＳＰＰのオフセット変化量が異なることに起因しており、図８の例では、ＭＰＰの方がＳＰＰに対して変化量が大きい。
【００３５】
図９は、本発明を実施するためのフローチャートの例である。９０１にて光ディスク装置に光ディスクをローディングする。９０２にて、例えば1mWのレーザパワーにてレンズシフトさせる。９０３にてＭＰＰ及びＳＰＰのオフセット量を測定する。以降、レンズシフト量とオフセット量の関係が必要な精度で得られるまで９０２及び９０３を繰り返す。９０４にてＤＰＰのオフセットが調整できるレンズシフト量を決定し、９０６にてそのレンズシフト量を用いて記録再生動作を開始する。なお、９０２及び９０３ではＭＰＰ及びＳＰＰのオフセット量を測定しているが、ＤＰＰのオフセット量を測定し、それが一定範囲以下になるようなレンズシフト量を求めても良い。
【００３６】
図１０は図９の９０２及び９０３における動作の例を示した図である。レンズシフト量を変化させ、ＭＰＰのオフセット量１００１及びＳＰＰのオフセット量１００２を測定することで、ＭＰＰとＳＰＰのレンズシフトに対する感度を測定することが出来る。図１０中のｘが所望のレンズシフト量である。なお測定精度を上げるために、本動作を複数のレーザパワーで行っても良い。
【００３７】
以上のようにして、対物レンズの位置を調整することでＤＰＰにおけるオフセットを調整し、良好な記録再生動作を実現できる。
【実施例３】
【００３８】
本実施例では、ＳＰＰの増幅度とレンズシフトを組み合わせて変化させることで、ＤＰＰのオフセットを調整する例を示す。本実施例は、設定可能なＳＰＰ増幅度やレンズシフト量に制限がある場合に有効である。前者は回路の仕様、後者はアクチュエータを駆動する電流量の制限、などに起因する。
【００３９】
図１１(a)は、レンズシフト及び増幅度変更を行わない場合の各信号のオフセット量のレーザパワー依存性を示しており、レーザパワーの増加に伴ってＤＰＰのオフセットが増加している。図１１(b)は一定量のレンズシフトを行うことで、ＤＰＰのオフセットを減少している。図１１(c)は図１１(b)の状態から、更にＳＰＰの増幅度を調整した際のレーザパワー依存性を示しており、ＤＰＰオフセットのレーザパワー依存性が調整されている。図１１(a)において、ＳＰＰの増幅度変更のみでレーザパワー依存性を補償するためには、ＳＰＰの増幅度ｋを負の値に設定する必要があるが、図１１(c)ではｋは正の値である。このように、ｋ値の符号に制限がある場合にも本発明は有効である。
【００４０】
図１２は、本発明を実施するためのフローチャートの例である。１２０１にて光ディスク装置に光ディスクをローディングする。１２０２にて、例えば1mWのレーザパワーにてレンズシフトさせる。１２０３にてＭＰＰ及びＳＰＰのオフセット量を測定する。対物レンズの可動範囲内でＤＰＰのオフセット調整が不十分な場合は、１２０４にてレンズシフトを可動範囲内でオフセットを低減できる所定の値に設定する。そのレンズシフト量において、１２０５にてレーザパワーを変更し、１２０６にてＭＰＰとＳＰＰそれぞれのオフセット量の測定を行う。以降、レーザパワーに対するオフセット量の関係が得られるのに必要な回数だけ１２０５と１２０６を繰り返す。１２０７にて、ＭＰＰとＳＰＰのレーザパワーに対する感度比を増幅度ｋとして設定し、１２０８にて記録再生動作を開始する。なお、ここではレンズシフト量を決定してからＳＰＰの増幅度を決定するフローチャートの例を示したが、両者を決定する順番を逆にしても良い。
【００４１】
以上のようにして、ＳＰＰの増幅度とレンズシフトを組み合わせて変化させることでＤＰＰにおけるオフセットを調整し、良好な記録再生動作を実現できる。
【実施例４】
【００４２】
本実施例では、未記録ディスクに対して、実施例1〜３のいずれかでディファレンシャルプッシュプル信号のオフセット量の調整を行う。その後、実施例１，２，３で求めたレーザ強度に対するメインプッシュプル信号、サブプッシュプル信号、ディファレンシャルプッシュプル信号の変化、あるいは、レンズの位置などの情報(以下、トラッキング補正情報と呼ぶ)と、光ディスクを識別する情報とともに光ディスク装置の補正情報保存手段に記憶する。補正情報保持手段としては、不揮発性メモリなどが考えられる。光ディスクを識別する情報としては、例えばＰＭＡ（プログラム・メモリ・エリア）に書き込まれるディスク識別コードなどが考えられる。
【００４３】
図１３は、本実施例を実施するためのフローチャートの例である。図１３では、補正情報を取得する方法として実施例1の方法を利用したものを考える。また、すでに複数枚の光ディスクの識別情報とトラッキング補正情報が補正情報保持手段に格納されている状態を例にする。
【００４４】
１３０１にて光ディスク装置に光ディスクをローディングする。１３０２にて、光ディスクから得た識別情報が補正情報保持手段に格納されているかどうかを確認する。識別情報が補正情報保持手段に格納されていればその光ディスクのトラッキング補正情報も保持されている。
【００４５】
１３０３にて現在セットされている光ディスクのトラッキング補正情報が保持されていることが判明した場合は、１３０６へ進む。補正情報保持手段に、現在セットされている光ディスクのトラッキング補正情報が含まれていない場合は、１３０４に進む。
【００４６】
１３０４にてレーザパワーを設定し、１３０５にてＭＰＰとＳＰＰそれぞれのオフセット量の測定を行う。以降、レーザパワーに対するオフセット量の関係が得られるのに必要な回数だけ１３０４と１３０５を繰り返す。１３０４にて設定するレーザパワーは、光ディスクに記録が行われない程度のパワーであり、また光ディスクに記録された情報が消去されることを回避するために、試し書き領域などで実行することが望ましい。１３０６にて、ＭＰＰとＳＰＰのレーザパワーに対する感度比を増幅度ｋとして設定し、１３０７にて記録再生動作を開始する。
【００４７】
以上のようにして、トラッキング補正情報が補正情報保持手段に保持されていれば、トラッキング補正情報を補正情報保持手段から取得し、記録再生動作が行えるため、トラッキング補正情報を求めるための処理を省くことができ、処理を簡略化できる。また、補正情報保持手段にトラッキング補正情報が保持されていない光ディスクの場合は、実施例１〜３のいずれかの方法によりトラッキング補正情報を求めてから記録再生動作を行うため、良好な記録再生動作を実現できる。
【００４８】
尚、本実施例では、補正情報保持手段を光ディスク装置に設けたが、光ディスクそのものに専用の領域を設け、そこにトラッキング補正情報を記録するようにしても本実施例の効果は変わらない。
【００４９】
また、補正情報保持手段として不揮発性メモリ、ディスク識別情報としてPMAに書き込まれたディスク識別コードを挙げたが、本発明においてこれに限定するものではない。
【図面の簡単な説明】
【００５０】
【図１】本発明による光ディスク装置の一実施例を示すブロック構成図。
【図２】フォトディテクタがレーザを受光し、ＤＰＰを生成するまでを示す図。
【図３】ＭＰＰ、ＳＰＰ、及びＤＰＰのレーザパワーに対するオフセット量の変化を示す図。
【図４】ｋ倍の増幅度を持つアンプにてＳＰＰを増幅し、ＤＰＰのオフセットを調整する一例を示す図。
【図５】ｋ倍の増幅度を持つアンプにてＳＰＰを増幅することで、ＤＰＰのオフセットを調整する場合のフローチャートの一例を示す図。
【図６】ＭＰＰ及びＳＰＰの、パワーに対するオフセット量をプロットした一例を示す図。
【図７】レンズシフトに対するプッシュプル信号のオフセットを示す図。
【図８】レーザパワーに対するオフセット量の、レンズシフトに対する変化の一例を示す図。
【図９】レンズシフトを用いてＤＰＰのオフセット調整を行う場合の、フローチャートの一例を示す図。
【図１０】ＭＰＰ及びＳＰＰの、レンズシフトに対するオフセット量をプロットした一例を示す図。
【図１１】レンズシフト及びＳＰＰのアンプを用いて、DPPのオフセットを調整する一例を示す図。
【図１２】レンズシフト及びＳＰＰのアンプを用いて、DPPのオフセットを調整する場合のフローチャートの一例を示す図。
【図１３】トラッキング補正情報を保持している光ディスク装置においてのDPPのオフセットを調整する場合のフローチャートの一例を示す図。
【符号の説明】
【００５１】
１０１…マイコン、１０２…レーザダイオード、１０３…レーザ光、１０４…回折格子、１０５…対物レンズ、１０６…光ディスク、１０７…偏光ビームスプリッタ、１０８…フォトディテクタ、１０９…信号処理機、２０１…メインフォトディテクタ、２０２…サブフォトディテクタ、２０３…サブフォトディテクタ、２０４…メインプッシュプル信号、２０５…サブプッシュプル信号、２０６…サブプッシュプル信号、２０７…加算器、２０８…減算器、２０９…ディファレンシャルプッシュプル信号、２１０…メインスポット、２１１…サブスポット、２１２…サブスポット、３０１…ＭＰＰのオフセットのレーザパワー依存性、３０２…ＳＰＰのオフセットのレーザパワー依存性、３０３…ＤＰＰのオフセットのレーザパワー依存性、３０４…ｋ倍されたＳＰＰのオフセットのレーザパワー依存性、４０１…ｋ倍の増幅度を持つアンプ、６０１…レーザパワーに対するＭＰＰのオフセットのデータ点、６０２…レーザパワーに対するＳＰＰのオフセットのデータ点、７０１…対物レンズ、７０２…レーザ光、７０３…光ディスク、７０４…ディテクタ、７０５…プッシュプル信号、７０６…オフセットが生じた場合のプッシュプル信号、１００１…レンズシフトに対するＭＰＰのオフセットのデータ点、１００２…レンズシフトに対するＳＰＰのオフセットのデータ点
【図１】
2008305461.tif 000003
【図２】
2008305461.tif 000004
【図３】
2008305461.tif 000005
【図４】
2008305461.tif 000006
【図５】
2008305461.tif 000007
【図６】
2008305461.tif 000008
【図７】
2008305461.tif 000009
【図８】
2008305461.tif 000010
【図９】
2008305461.tif 000011
【図１０】
2008305461.tif 000012
【図１１】
2008305461.tif 000013
【図１２】
2008305461.tif 000014
【図１３】
2008305461.tif 000015